(57)【要約】      （修正有）【課題】今までになかった発想で要に着目し、１つの要であっても、一般的に知られている閉じた状態と開いた状態だけでなく、第２の開いた状態の形に変化させ、しかもそれを維持させることを可能にした扇子を提案する。【解決手段】複数の骨３、５が１つの要部７によって繋げられ、骨を閉じた状態と開いた状態とに変化する扇子１は、要部は柔軟性がある弾力部材で形成され、開いた状態の複数の骨の配置が、同一平面状の配置に加えて、曲面状の配置にさらに変化でき、開かれて曲面状に配置された複数の骨の位置関係を維持するフック９を備える。【選択図】図１
0003233765.tif 000002
【実用新案登録請求の範囲】
【請求項１】
複数の骨が１つの要部によって繋げられ、前記骨を閉じた状態と開いた状態とに変化する扇子であって、
前記要部は柔軟性がある弾力部材で形成され、
前記開いた状態の前記複数の骨の配置が、同一平面状の配置に加えて、曲面状の配置にさらに変化でき、
前記開かれて前記曲面状に配置された前記複数の骨の位置関係を維持する固定手段を備えた、扇子。
【請求項２】
前記要部は、樹脂で形成された部材である、請求項１記載の扇子。
【請求項３】
前記固定手段は、前記要部に取り付けられるフックであり、
前記フックを前記複数の骨のうちの最も離れた外側の骨に引っ掛けて固定する、請求項１又は２記載の扇子。
【考案の詳細な説明】
【技術分野】
【０００１】
本考案は、扇子に関し、特に、通常の閉じた状態及び開いた状態に加えて、形をさらに変化させることが可能な扇子に関する。
【背景技術】
【０００２】
扇子は、扇いで風を起こす道具の１つとされ、歴史的にも古くからあり、儀礼や芸能においても用いられてきた。
【０００３】
形態は、それぞれが外側に位置する２つの親骨とその間に位置する複数の中骨とが要部によって繋げられている。親骨は、一般的に、中骨よりも太い。折り畳んだ和紙が骨に張られており、開くと段になるように展開する。このように、閉じた状態から開いた状態に変化する。骨の材質は、一般的には、竹製又は木製のものが多い。要の材質は、金属、プラスチックなどが用いられる。要が壊れると、扇子としての用をなさなくなることから最も重要な部分であり、「肝心要」の語源と言われている。
【０００４】
扇子についても工夫されたものもある。例えば、特許文献１の技術は、要部に熱可塑性樹脂を用い、端部に熱を加えて溶解し、冷却することによりきのこ状のかしめ部を自然に形成するものである。また、特許文献２の技術は、部材をできるだけ樹脂で作るものが提案されている。さらに、特許文献３の技術は、今までの形と異なるものとして、２つの扇子を繋いだ構造をしているものが提案されている。
【０００５】
ところで、新型コロナウイルスが発生するコロナ禍では、食事の場所での飛沫を防止することが大きな課題になっており、食事中に扇子で口元を隠すことも提案されることもある。このような動きもあり、特許文献４のように、扇面を植物由来原料を用いた高機能透明プラスチック製であって細菌が付着しにくい素材にして飛沫防止を行い、さらにドアオープナーの役割を果たすフック部分を設けてドアを開閉させるための取っ手等の握持対象に直接接触せずに利用できるものも提案されている。
【先行技術文献】
【特許文献】
【０００６】
【特許文献１】特開２０１０−８２４２０号公報
【特許文献２】特開２０１４−４２６２７号公報
【特許文献３】特開２０１５−２１７２７６号公報
【特許文献４】実登３２２９６４０号公報
【考案の概要】
【考案が解決しようとする課題】
【０００７】
しかしながら、従来の扇子では、要が最も重要なことから壊れないような強度にすることへの固定観念がありすぎた。
【０００８】
ゆえに、本考案は、今までになかった発想で要に着目し、１つの要であっても、一般的に知られている閉じた状態と開いた状態だけでなく、第２の開いた状態の形に変化させ、しかもそれを維持させることを可能にした扇子を提案することを目的とする。
【課題を解決するための手段】
【０００９】
本考案の第１の観点は、複数の骨が１つの要部によって繋げられ、前記複数の骨を閉じた状態と開いた状態とに変化する扇子であって、前記要部は柔軟性がある弾性部材で形成され、前記開いた状態の前記複数の骨の配置が、同一平面状の配置に加えて、曲面状の配置にさらに変化でき、前記開かれて前記曲面状に配置された前記複数の骨の位置関係を維持する固定手段を備えたものである。
【００１０】
本考案は、第１の観点において、前記要部が樹脂で形成された部材である。
【００１１】
本考案は、第１又は第２の観点において、前記固定手段が前記要部に取り付けられるフックであり、前記フックを前記複数の骨のうちの最も離れた外側の骨に引っ掛けて固定するものである。
【考案の効果】
【００１２】
本考案によれば、要を柔軟性がある弾性部材としたことにより、一つの要であっても開いた状態の複数の骨の配置を曲面状にさらに変化できる。このような第２の開いた形に変化させたことで、例えば、口元に凹側を向ければ、同一平面状の場合に比べて飛沫感染をより防止することが可能になる。また、このような曲面状の配置を固定できることから、手の力で曲面状を維持する力も不要で済む。さらに、曲面状に開いた状態に形が固定された扇子は、立体的になり、台上に凸側を上に向けて置けば凹側に空間ができ、茶菓子などを覆うこともでき、飛沫感染防止はもちろんのこと、日本文化における新たな作法などへも発展させることが可能になる。
【図面の簡単な説明】
【００１３】
【図１】本考案の実施の形態に係る扇子の通常の開いた状態を示す正面図である。
【図２】本考案の実施の形態に係る扇子の通常の開いた状態を示す背面図である。
【図３】本考案の実施の形態に係る扇子の通常の開いた状態を示す左側面図である。
【図４】本考案の実施の形態に係る扇子の通常の開いた状態を示す右側面図である。
【図５】本考案の実施の形態に係る扇子の通常の開いた状態を示す平面図である。
【図６】本考案の実施の形態に係る扇子の通常の開いた状態を示す底面図である。
【図７】本考案の実施の形態に係る扇子の通常の開いた状態を示す正面側からの斜視図である。
【図８】本考案の実施の形態に係る扇子の通常の開いた状態を示す正面拡大図である。
【図９】本考案の実施の形態に係る扇子の通常の開いた状態を示す底面拡大図である。
【図１０】本考案の実施の形態に係る扇子の閉じた状態を示す正面図である。
【図１１】本考案の実施の形態に係る扇子の閉じた状態を示す背面図である。
【図１２】本考案の実施の形態に係る扇子の閉じた状態を示す左側面図である。
【図１３】本考案の実施の形態に係る扇子の閉じた状態を示す右側面図である。
【図１４】本考案の実施の形態に係る扇子の閉じた状態を示す平面図である。
【図１５】本考案の実施の形態に係る扇子の閉じた状態を示す底面図である。
【図１６】本考案の実施の形態に係る扇子の閉じた状態を示す斜視図である。
【図１７】本考案の実施の形態に係る扇子の開いた状態であってさらに変化した状態を示す前方斜視図である。
【図１８】本考案の実施の形態に係る扇子の開いた状態であってさらに変化した状態を示す後方斜視図である。
【図１９】本考案の実施の形態に係る扇子の開いた状態であってさらに変化した状態を示す拡大前方斜視図である。
【図２０】本考案の実施の形態に係る扇子の開いた状態であってさらに変化した状態を示す拡大後方斜視図である。
【考案を実施するための形態】
【００１４】
以下、図面を参照して、本願考案の実施例について述べる。なお、本願考案の実施の形態は、以下の実施例に限定されるものではない。
【００１５】
扇子１は、両方の外側のそれぞれに親骨３があり、２つの親骨３の間に複数の中骨５が配置されている。親骨３及び中骨５に亘らせて和紙などが張られて扇面６が形成される。そして、シリコンゴム等の柔軟性がある素材（樹脂など）で形成された要部７が親骨３及び中骨５の一方端を貫いて繋げている。ここで、要部７は、金属等の硬いものである通常の要部と異なり、柔軟性があることから、図１７〜図２０に示すように、扇面６を半円錐状様の曲面形状にできる。また、要部７には、フック９が要部７を軸にして回動自在に取り付けられている。図１９及び図２０に示すように、フック９がより離れた位置の親骨３に引っ掛けられ、扇面６を半円錐状様の曲面形状を維持して形を固定できるようになっている。なお、フック９は、回動できることから、扇面６を閉じるときには、親骨３と平行に扇子本体に収納できるものになっており、邪魔にならないように工夫されている。
【００１６】
このような要部７及びフック９という構成により、扇面が平面形状の通常の開いた状態（図１〜図８）及び閉じた状態（図９〜図１６）以外に、さらに変化して、扇面６を半円錐状様の曲面形状を維持して形を固定できることから、凹面を口側に向ければ、通常の開いた状態よりも、食事中に扇子で口元を隠すことができ、飛沫防止がより行える。
【００１７】
また、飛沫防止以外にも、例えば、会席やお茶席などで手元を隠すなどの新たなしぐさの他、扇子を使う伝統芸能等などで新たな文化的なしぐさなどが出来得ることになる。
【符号の説明】
【００１８】
１・・・扇子、３・・・親骨、５・・・中骨、６・・・扇面、７・・・要部、９・・・フック
【図１】
0003233765.tif 000003
【図２】
0003233765.tif 000004
【図３】
0003233765.tif 000005
【図４】
0003233765.tif 000006
【図５】
0003233765.tif 000007
【図６】
0003233765.tif 000008
【図７】
0003233765.tif 000009
【図８】
0003233765.tif 000010
【図９】
0003233765.tif 000011
【図１０】
0003233765.tif 000012
【図１１】
0003233765.tif 000013
【図１２】
0003233765.tif 000014
【図１３】
0003233765.tif 000015
【図１４】
0003233765.tif 000016
【図１５】
0003233765.tif 000017
【図１６】
0003233765.tif 000018
【図１７】
0003233765.tif 000019
【図１８】
0003233765.tif 000020
【図１９】
0003233765.tif 000021
【図２０】
0003233765.tif 000022